(57)【要約】  【課題】低温貯蔵庫の情報を低温貯蔵庫から離れた場所でも確認でき、かつ設定情報を送信できる意匠面、使い勝手面の優れた低温貯蔵庫を提供する。  【解決手段】低温貯蔵庫本体の開閉ドア２４に液晶パネル等の表示器２５と、各種スイッチを備えた脱着式のリモートコントローラー２３を備え、取外すときは開閉ドア２４内に取付けられた弾性体による弾性力によって突出するので取外しやすく、普段は開閉ドア２４と連続した状態で固定されているので意匠的に優れている。【選択図】図１
2005156135.tif 000002
【特許請求の範囲】
【請求項１】
食品等を冷却貯蔵する貯蔵室と、前記貯蔵室を冷却する冷却装置と、液晶パネル等の表示器を備えた無線式のリモートコントローラーとを備え、前記冷却装置と前記リモートコントローラー間でデータ通信を可能としたことを特徴とする低温貯蔵庫。
【請求項２】
食品等を冷却貯蔵する貯蔵室と、前記貯蔵室を冷却する冷却装置と、前記貯蔵室の外殻に着脱自在に設けられ液晶パネル等の表示器を備えた無線式のリモートコントローラーとを備え、前記リモートコントローラーを貯蔵室に取付けた状態でも取外した状態でも前記冷却装置とデータ通信を可能としたことを特徴とする低温貯蔵庫。
【請求項３】
食品等を冷却貯蔵する貯蔵室と、液晶パネル等の表示器を備えた前記貯蔵室を冷却する冷却装置と、無線式のリモートコントローラーとを備え、前記冷却装置と前記リモートコントローラー間でデータ通信を可能としたことを特徴とする低温貯蔵庫。
【請求項４】
食品等を冷却貯蔵する貯蔵室と、液晶パネル等の表示器を備えた前記貯蔵室を冷却する冷却装置と、前記貯蔵室の外殻に着脱自在に設けられ無線式のリモートコントローラーとを備え、前記リモートコントローラーを貯蔵室に取付けた状態でも取外した状態でも前記冷却装置とデータ通信を可能としたことを特徴とする低温貯蔵庫。
【請求項５】
リモートコントローラーを貯蔵室のドア表面に脱着可能に取付けたことを特徴とする請求項２または請求項４に記載の低温貯蔵庫。
【請求項６】
ドアへの装着時にリモートコントローラーの周縁部とドア表面を曲面で連続させたことを特徴とする請求項５に記載の低温貯蔵庫。
【請求項７】
リモートコントローラーの取外しはリモートコントローラー本体を押圧した後、弾性力でドア表面より突出させることにより行わせることを特徴とする請求項２または請求項４から請求項６のいずれか一項に記載の低温貯蔵庫。
【請求項８】
リモートコントローラー本体に貯蔵室の温度設定手段を備え、前記温度設定手段の操作結果に基づく設定情報と貯蔵室の温度情報を表示器に表示させることを特徴とする請求項１から請求項２または請求項５または請求項７のいずれか一項に記載の低温貯蔵庫。
【請求項９】
リモートコントローラー本体に複数の貯蔵室の温度設定手段を備えたことを特徴とする請求項３から請求項７のいずれか一項に記載の低温貯蔵庫。
【請求項１０】
リモートコントローラー本体に複数の貯蔵室の温度設定手段を備え、前記温度設定手段の操作結果に基づく複数の設定情報と複数の貯蔵室の温度情報を表示器に同時または切り替え等によって表示させることを特徴とする請求項１から請求項２または請求項５から請求項７のいずれか一項に記載の低温貯蔵庫。
【発明の詳細な説明】
【技術分野】
【０００１】
本発明は低温貯蔵庫の制御装置に関するものである。
【背景技術】
【０００２】
従来、この種の低温貯蔵庫は、貯蔵室の上部に設置された冷却装置と、貯蔵室前面のドア等に設けたコントローラーとのデータ通信を、通信コードで接続することで可能にしていた。比較的大型な低温貯蔵庫においては、冷却装置とコントローラーとの距離が離れており、通信コードは貯蔵庫本体内部を通り、コントローラーを稼動するドア等に設置する場合には特殊なヒンジ軸を中空に形成して通信コードが挿通可能なヒンジ金具を設けるなどして、通信コードを通し、冷却装置とコントローラーを接続していた（例えば、特許文献１参照）。
【０００３】
図６は、特許文献１に記載された従来の低温貯蔵庫を示すものであり、図６は図５のドアヒンジ部分の拡大図を示すものである。図５に示すように冷却装置１と貯蔵室２と、コントローラー３とドア４とドアヒンジ５と通信コード６とから構成されている。
【特許文献１】特開２００１−２０１２４５号公報
【発明の開示】
【発明が解決しようとする課題】
【０００４】
しかしながら、上記従来の構成では、冷却装置とコントローラーを通信コードで接続するために、通信コードを貯蔵室壁面内部に通す必要があるので、壁面および内部に通信コードを通すための構造を設けなくてならず、また断熱材などでコードが見えなくなるため断線等の不良に対して修理などを行うことができなかった。またコードカバー等の付属部品を用いてコードを保護する場合、コードカバー等の材料コストがかかり、通信コードを引き回すための組立てコストも高くなっている。さらに特殊なドアヒンジを用いるなどが必要となりコストが高くなるなどの課題を有していた。
【０００５】
本発明は、上記従来の課題を解決するもので、食品等を冷却貯蔵する貯蔵室と、貯蔵室を冷却する冷却装置と、液晶パネル等の表示器を備えた無線式のリモートコントローラーとを備え、前記冷却装置と前記リモートコントローラー間でデータ通信を可能とした低温貯蔵庫を提供することを目的とする。
【課題を解決するための手段】
【０００６】
上記従来の課題を解決するために、本発明の低温貯蔵庫は、食品等を冷却貯蔵する貯蔵室と、貯蔵室を冷却する冷却装置と、液晶パネル等の表示器を備えた無線式のリモートコントローラーを備え、冷却装置とリモートコントローラー間でデータ通信を可能としたものである。
【０００７】
これによって、低温貯蔵庫は、冷却装置とリモートコントローラーを通信コードで接続する必要がないので、通信コードを貯蔵室壁面内部に通す場合の、通信コードを通すための特殊な構造を設ける必要が無く、コードの断線なども気にする必要がない。さらに加工工数を低減することができる。またコードカバー等の付属部品を用いて通信コードを保護する必要も無く、特殊なドアヒンジを用いるなどの特殊な部品構成が必要なく、部品コストを低減できる。無線式の通信手段を用いても、これらの貯蔵室および通信コードの加工・部品代よりも安く提供することができる。
【発明の効果】
【０００８】
本発明の低温貯蔵庫は、リモートコントローラーが着脱自在に設けられるため、貯蔵室から離れた場所からでも庫内温度設定やその他の設定情報の通信をすることができ、また設定した操作結果に基づく庫内温度などのデータ情報をリモートコントローラー本体に表示することができる。
【発明を実施するための最良の形態】
【０００９】
請求項１に記載の発明は、食品等を冷却貯蔵する貯蔵室と、前記貯蔵室を冷却する冷却装置と、液晶パネル等の表示器を備えた無線式のリモートコントローラーとを備え、前記冷却装置と前記リモートコントローラー間でデータ通信を可能とすることにより、低温貯蔵庫に通信コードを設定する必要が無くなり、貯蔵室壁面内部に通信コードを通したり、コードカバーで通信コードを保護したり、特殊なドアヒンジを設ける必要が無くなり、部品および加工コストを低減することができる。
【００１０】
請求項２に記載の発明は、食品等を冷却貯蔵する貯蔵室と、前記貯蔵室を冷却する冷却装置と、前記貯蔵室の外殻に着脱自在に設けられ液晶パネル等の表示器を備えた無線式のリモートコントローラーとを備え、前記リモートコントローラーを貯蔵室に取付けた状態でも取外した状態でも前記冷却装置とデータ通信を可能とすることにより、ユーザーは貯蔵室から離れた場所から冷却装置や貯蔵室の情報を取得したり、冷却装置を制御したりすることができる。またユーザーの使用状態に応じて着脱の選択ができるため使い勝手の自由度が広がる。
【００１１】
請求項３に記載の発明は、食品等を冷却貯蔵する貯蔵室と、液晶パネル等の表示器を備えた前記貯蔵室を冷却する冷却装置と、無線式のリモートコントローラーとを備え、前記冷却装置と前記リモートコントローラー間でデータ通信を可能とすることにより、低温貯蔵庫に通信コードを設定する必要が無くなり、貯蔵室壁面内部に通信コードを通したり、コードカバーで通信コードを保護したり、特殊なドアヒンジを設ける必要が無くなり、また安価なリモートコントローラーをもちいるため、部品および加工コストを低減することができる。
【００１２】
請求項４に記載の発明は、食品等を冷却貯蔵する貯蔵室と、液晶パネル等の表示器を備えた前記貯蔵室を冷却する冷却装置と、前記貯蔵室の外殻に着脱自在に設けられ無線式のリモートコントローラーとを備え、前記リモートコントローラーを貯蔵室に取付けた状態でも取外した状態でも前記冷却装置とデータ通信を可能とすることにより、ユーザーは貯蔵室から離れた場所から冷却装置を制御したりすることがより低コストでできる。またユーザーの使用状態に応じて着脱の選択ができるため使い勝手の自由度が広がる。
【００１３】
請求項５に記載の発明は、請求項２または請求項４に記載の発明にさらにリモートコントローラーを貯蔵室のドア表面に脱着可能に取付けたことを特徴とするものであり、貯蔵室周囲の障害物などの設置条件にかかわらず、着脱機能を保持でき、使用時はほぼ正面に立って動作するのでリモートコントローラーを手に取りやすく、また立ち姿勢で屈むことなく脱着可能となり使い勝手がよく、またリモートコントローラーの存在を認識しやすい。
【００１４】
請求項６に記載の発明は、請求項５に記載の発明にさらにドアへの装着時にリモートコントローラーの周縁部とドア表面を曲面で連続させたものであり、ドアに接触しても簡単にリモートコントローラーがはずれて脱落することがなく、また外観意匠的にも見栄えがよい低温貯蔵庫を提供することができる。
【００１５】
請求項７に記載の発明は、請求項２または４に記載の発明にさらにリモートコントローラーの取外しはリモートコントローラー本体を押圧した後、弾性力でドア表面より突出させることにより行わせるものであり、リモートコントローラーの周囲のドア表面に取り出し用の窪みなどを設けて外観意匠を損ねることなくリモートコントローラーの取外しを容易に行うことができる。
【００１６】
請求項８に記載の発明は、請求項１から請求項２または請求項５から請求項７のいずれか一項に記載の発明にさらにリモートコントローラー本体に冷却装置の設定手段を備え、設定手段の操作結果に基づく設定情報と貯蔵室の温度情報等を表示器に表示させることで、貯蔵室に近づいて、表示を確認しなくても離れた場所で設定情報を認識することができ、また貯蔵室から離れた場所から設定情報を冷却装置に送信することができ、貯蔵室の温度情報などを受信することもできる。
【００１７】
請求項９に記載の発明は、請求項３から請求項７のいずれか一項に記載の発明にさらにリモートコントローラー本体に複数の貯蔵室の温度設定手段を備え、貯蔵室が複数存在してもリモートコントローラーおよび冷却装置に個体を判別する切り替えスイッチなどを設けることで、一つのリモートコントローラーでいくつかの貯蔵室の温度設定を可能にすることがき、離れた場所から複数の貯蔵室の温度設定ができる。
【００１８】
請求項１０に記載の発明は、請求項１から請求項２または請求項５から請求項７のいずれか一項に記載の発明にさらにリモートコントローラー本体に複数の貯蔵室の温度設定手段を備え、貯蔵室が複数存在してもリモートコントローラーおよび冷却装置に個体を判別する切り替えスイッチなどを設けることで、一つのリモートコントローラーでいくつかの貯蔵室の温度設定を可能にし、設定手段の操作結果に基づく複数の設定情報と複数の貯蔵室の温度情報等を表示器に表示させることで、貯蔵室に近づいて、表示を確認しなくても離れた場所で複数の設定情報を認識することができ、また貯蔵室から離れた場所から設定情報を冷却装置に送信することができ、複数の貯蔵室の温度情報などを受信することもできる。
【００１９】
以下、本発明の実施の形態について、図面を参照しながら説明する。なお、この実施の形態によってこの発明が限定されるものではない。
【００２０】
（実施の形態１）
図１は本発明の実施の形態１における低温貯蔵庫の正面図を示すものである。図２は同実施の形態の要部斜視図である。図３は同実施の形態の要部縦断面図である。図４は同実施形態の要部斜視図である。
【００２１】
図１において、低温貯蔵庫２０は、食品などを冷蔵する貯蔵室２１と、貯蔵室２１の上部に設置された冷却装置２２を備え、リモートコントローラー２３は貯蔵室２１の開口部に備えられた開閉ドア２４に取付けられている。
【００２２】
図２において、リモートコントローラー２３の表面に備えられた表示器２５は、液晶パネル等で形成されている。またＬＥＤ表示等、表示できるものであれば構わない。
【００２３】
凹部２６は開閉ドア２４に形成され、リモートコントローラー２３の外周形状と相似形状に形成されたものであり、凹部２６の内部には磁石２７が設けられており、磁石２７は鉄板等の金属部品で形成された取付け部材２８によって囲われている。
【００２４】
図３において、リモートコントローラー２３の裏面に形成されたリモートコントローラー凹部２９であり、リモートコントローラー凹部２９内には鉄板３０がビス等（図示しない）で固定されている。
【００２５】
弾性体３１は取付け部材２８内に埋設されたものであり、同実施の形態の場合、コイルバネが取付けられている。
【００２６】
図４において、冷却装置３２の表面に備えられた表示器３３は、液晶パネル等で形成されている。またＬＥＤ表示等、表示できるものであれば構わない。リモートコントローラー３４は、表示器などは無く温度設定などのボタンを備えている。
【００２７】
以上のように構成された低温貯蔵庫について、以下その作用を説明する。
【００２８】
まず、液晶パネル等の表示器を備えた無線式のリモートコントローラー２３と、冷却装置２２との間で通信を可能としているので、貯蔵室２１には通信コードを設定する必要が無い。
【００２９】
また貯蔵室２１に取付けた状態でも取外した状態でも冷却装置２２とデータ通信を可能としているので、ユーザーは低温貯蔵庫から離れた場所から低温貯蔵庫の情報を取得したり、低温貯蔵庫を制御したりすることができる。
【００３０】
また冷却装置３２とリモートコントローラー３４とは、取付けた状態でも取外した状態でもデータ通信を可能としているので、貯蔵室などには、通信コードを設定する必要がなく、表示器３３により、設定温度などを確認することができる。
【００３１】
また、貯蔵室２１の開閉ドア２４の表面に配線を気にすることなく脱着可能にリモートコントローラー２３を自由に取付けることが出来る。
【００３２】
また開閉ドア２４への装着時にリモートコントローラー２３の周縁部と開閉ドア２４表面を曲面で連続させているので、開閉ドア２４に接触しても簡単にリモートコントローラーがはずれて脱落することがない。
【００３３】
またリモートコントローラー２３は凹部２６内に収納でき、磁石２７と鉄板３０が引っ付いて固定される。取外すときは、リモートコントローラー２３を押圧すると弾性体３１の弾性力で磁石２７が貯蔵室２１の前方に向かって若干飛び出すためリモートコントローラー２３は開閉ドア２４の表面より突出する。このため、取外しを容易にすることができる。さらに、開閉ドア２４に装着する場合、リモートコントローラー２３を押圧すれば磁石１６はもとの位置に引っ込み、このときリモートコントローラー２３の周縁部と凹部２６の端面すなわち開閉ドア２４の表面とは曲面で連続して形成されている。リモートコントローラー２３の取外しはリモートコントローラー２３本体を押圧した後、弾性力で開閉ドア２４表面より突出させることにより行わせるものであり、リモートコントローラー２３の周囲の開閉ドア２４表面に取り出し用の窪みなどを設けて外観意匠を損ねることなくリモートコントローラー２３の取外しを容易に行うことができる。
【００３４】
またリモートコントローラー２３本体に貯蔵室２１内部の温度設定手段を備え、温度設定手段の操作結果に基づく設定情報と貯蔵室２１の温度情報を表示器に表示できるようにする。また低温貯蔵庫から離れた場所から庫内温度設定データを冷却装置２２に送信できるようにする。このように、冷却装置２２とリモートコントローラー２３でデータ通信が可能であるので、貯蔵室２１から離れた場所からリモートコントローラー２３で低温貯蔵庫の情報を取得したり、庫内温度設定を変えたりすることができる。さらに一定時間毎に冷却装置２１からリモートコントローラー２３に庫内温度情報が送信され、庫内状況を温度で確認することができる。
【００３５】
またリモートコントローラー３４および冷却装置３２には、データ通信を行う際の製品固有の信号を設定できる切り替えスイッチ等を設けているので、同じ貯蔵庫が複数台あっても個々に温度設定などの制御を設定することもできる。
【００３６】
またリモートコントローラー２３および冷却装置２２には、データ通信を行う際の製品固有の信号を設定できる切り替えスイッチ等を設けているので、同じ貯蔵庫が複数台あっても個々に温度設定などの制御を設定することもでき、個々の低温貯蔵庫の情報を取得したり、個々の庫内の温度設定を変えたりすることができる。さらに一定時間毎に個々の冷却装置２１からリモートコントローラー２３に庫内温度情報が送信され、庫内状況を温度等で確認することができる。
【００３７】
以上のように、本実施の形態においては、リモートコントローラー２３と冷却装置２２とを通信を可能とすることにより、貯蔵室２１には通信コードを設定する必要が無くなり、貯蔵室壁面内部に通信コードを通したり、コードカバーで通信コードを保護したり、特殊なドアヒンジを設ける必要が無くなり、部品および加工コストを低減することができる。
【００３８】
また、貯蔵室２１に取付けた状態でも取外した状態でも冷却装置とデータ通信を可能としているので、ユーザーは低温貯蔵庫から離れた場所から低温貯蔵庫の情報を取得したり、低温貯蔵庫を制御したりすることができ、ユーザーの使用状態に応じて着脱の選択ができるため使い勝手の自由度が広がる。
【００３９】
また、リモートコントローラー３４と冷却装置３２とを通信を可能とすることにより、貯蔵室には通信コードを設定する必要が無くなり、貯蔵室壁面内部に通信コードを通したり、コードカバーで通信コードを保護したり、特殊なドアヒンジを設ける必要が無くなり、リモートコントロールも簡素にすることができ部品および加工コストを低減することができる。
【００４０】
また、貯蔵室２１に取付けた状態でも取外した状態でも冷却装置とデータ通信を可能としているので、ユーザーは低温貯蔵庫から離れた場所から、低温貯蔵庫を制御することができ、ユーザーの使用状態に応じて着脱の選択ができるため使い勝手の自由度が広がる。
【００４１】
また、リモートコントローラーを貯蔵室のドア表面の操作しやすい個所に脱着可能に取付けたので、貯蔵室周囲の障害物などの設置条件にかかわらず、着脱機能を保持でき、低温貯蔵庫の使用時は、ほぼ開閉ドアの正面に立って操作するのでリモートコントローラー２３を手に取りやすく、立ち姿勢で屈むことなくリモートコントローラーの存在を認識しやすく、着脱も容易にでき使い勝手がよい。
【００４２】
また、ドアへの装着時にリモートコントローラーの周縁部とドア表面を曲面で連続させたものであり、ドアに接触しても簡単にリモートコントローラーがはずれて脱落することがなく、また外観意匠的にも見栄えがよい低温貯蔵庫を提供することができる。
【００４３】
また、リモートコントローラーの取外しはリモートコントローラー本体を押圧した後、弾性力でドア表面より突出させることにより行わせるものであり、リモートコントローラーの周囲のドア表面に取り出し用の窪みなどを設けて外観意匠を損ねることなくリモートコントローラーの取外しを容易に行うことができる。
【００４４】
また、リモートコントローラー本体に冷却装置の設定手段を備え、温度設定手段の操作結果に基づく設定情報と貯蔵室の温度情報を表示器に表示させることで、貯蔵室に近づいて、表示を確認しなくても離れた場所で庫内温度を認識することができ、一定時間毎に冷却装置からリモートコントローラーに庫内温度情報等が送信され、貯蔵室の庫内状況を温度で確認することができ、冷えがよいのか悪いのか一目で認識することができ、使い勝手が格段によくなる。
【００４５】
またリモートコントローラーと冷却装置にデータ通信を行う際の製品固有の信号を設定できる切り替えスイッチ等を設けているので、同じ貯蔵庫が複数台あっても個々に温度設定などの制御を設定することもでき、リモートコントロールによる誤作動などを防止でき、複数台の低温貯蔵庫での個々の貯蔵室の温度などを設定でき、使い勝手がよくなる。
【００４６】
また、リモートコントローラー本体に複数の冷却装置の設定手段を備え、温度設定手段の操作結果に基づく個々の設定情報と個々の貯蔵室の温度情報を表示器に表示させることで、複数の貯蔵室に近づいて、表示を確認しなくても離れた場所で個々の庫内温度を認識することができ、一定時間毎に複数の冷却装置からリモートコントローラーに庫内温度情報等が送信され、個々の貯蔵室の庫内状況を温度などで確認することができ、冷えがよいのか悪いのか一目で認識することができ、使い勝手が格段によくなる。
【産業上の利用可能性】
【００４７】
以上のように、本発明にかかる低温貯蔵庫は、食品等を冷却貯蔵する貯蔵室を冷却する冷却装置と、液晶パネル等の表示器を備えた無線式のリモートコントローラーとを備え、冷却装置と前記リモートコントローラー間でデータ通信を可能とすることにより、低温貯蔵庫に通信コードを設定する必要が無くなり、貯蔵庫壁面内部に通信コードを通したり、コードカバーで通信コードを保護したり、特殊なドアヒンジを設ける必要が無くなり、部品および加工コストを低減することが可能となるので、冷却装置部分と操作部分が分割され、離れたものについて、冷蔵庫・自販機等の用途にも適用できる。
【図面の簡単な説明】
【００４８】
【図１】本発明の実施の形態１における低温貯蔵庫の正面図
【図２】同実施の形態の低温貯蔵庫の要部拡大図
【図３】同実施の形態の低温貯蔵庫の要部縦断面図
【図４】同実施の形態の低温貯蔵庫の要部斜視図
【図５】従来の低温貯蔵庫の正面図
【図６】従来の低温貯蔵庫の要部拡大図
【符号の説明】
【００４９】
２０  低温貯蔵庫
２１  貯蔵室
２２  冷却装置
２３  リモートコントローラー
２４  開閉ドア
２５  表示器
２６  凹部
３１  弾性体
３２  冷却装置
３３  表示器
３４  リモートコントローラー
【図１】
2005156135.tif 000003
【図２】
2005156135.tif 000004
【図３】
2005156135.tif 000005
【図４】
2005156135.tif 000006
【図５】
2005156135.tif 000007
【図６】
2005156135.tif 000008